(57)【要約】【課題】ドラマ等の番組を介して、番組中に設定された商品の売買を行うシステムを形成する。【解決手段】番組提供者Ａは特定の販売対象商品を番組中に組み込んだ番組を提供し、視聴者Ｂは所望の商品が表示された画面を入力手段９を用いて切り取って画像記憶手段１０に記憶すると共に、その静止画像に付与されたコードを画像コード記憶手段１１に記憶する。番組終了後切り取った画像を画面８に呼び出し、画面上の商品に購入希望がある場合にはこの画面情報を番組提供者Ａに送信する。番組提供者Ａはこの画像情報から商品を特定し、特定した商品の価格等の商品情報を商品データベース４から、商品がより明瞭に判る画像情報を商品画像情報データベース５からそれぞれ引き出し視聴者Ｂに送信する。視聴者Ｂは提供されたこれらの情報から最終的に商品の購入の要否を決め、購入の場合にその旨番組提供者Ａに送信する。【選択図】　　　　図１
2004023425.tif 000002
【特許請求の範囲】
【請求項１】
テレビジョン放送或いはインターネット等の情報伝達手段を介して、ドラマ、歌謡番組等の番組を提供する番組提供者と、この番組提供者の番組を視聴する視聴者との間に構成されるシステムであって、番組提供者が提供する番組は、販売対象となる商品が当該番組中に組み込まれるよう構成され、当該番組提供者は、視聴者の購入希望商品を特定する手段と、個々の商品の情報を提供する手段とを有し、視聴者は、番組において提示されている商品のうち購入希望商品を特定する手段を有し、番組視聴中、或いは番組視聴後に視聴者が購入希望商品を番組提供者に伝達するよう構成したことを特徴とする放送番組を用いた商品販売・購入システム。
【請求項２】
視聴者側には番組の特定の画像を切り取り、かつ切り取った画像を記憶する手段を有し、番組提供者はこの切り取った画像中の商品を特定する手段を有し、視聴者は特定の画像に対応して番組提供者から提供された商品情報にに基づいて商品購入の要否を決めるよう構成したことを特徴とする請求項１記載の放送番組を用いた商品販売・購入システム。
【請求項３】
番組提供者側には、視聴者の購入希望商品が表示されかつ当該視聴者から出力された静止画像の情報を特定する手段と、特定された静止画像情報から商品を特定する手段が設けられ、かつ番組提供者は特定された商品の情報を視聴者に送信するよう構成したことを特徴とする請求項１又は２記載の放送番組を用いた商品販売・購入システム。
【請求項４】
視聴者側には、商品購入者の体型、サイズ等を示す画像データを記憶する手段が設けられ、且つ番組提供者側には購入希望商品の画像データを提供する手段が設けられ、視聴者は被服等、直接着用する商品を購入する際に、購入者側の画像データと番組提供者から送信された購入希望商品の画像データとを重畳させることにより視聴者が当該商品を直接着用した際の画像を合成し、当該合成画像を商品購入の要否の決定の一手段とするよう構成したことを特徴とする請求項１乃至３の何れかに記載の放送番組を用いた商品販売・購入システム。
【請求項５】
動画として連続して送信される個々の静止画像に対して静止画像を特定するコードが設定され、番組提供者側と視聴者側にはこのコードと静止画像を対応させる手段が設けられ、番組提供者側には特定した静止画像に表示される商品の特定と、特定された商品の情報を記憶する手段が設けられていることを特徴とする請求項１乃至４の何れかに記載の放送番組を用いた商品販売・購入システム。
【発明の詳細な説明】
【０００１】
【発明の属する技術分野】
本発明は商品の売買システムに係り、特にテレビジョン放送或いは動画を中心としたインターネットの画像配信システムにおいて配信される番組の構成の一部として商品を示し、かつ当該商品を選択購入するシステムに関する。
【０００２】
【従来の技術】
昨今では、消費者が直接店舗に出向いて商品を購入する以外に、テレビジョン放送において各種商品を展示説明する、所謂テレビショッピングを利用したり、或いはインターネットを利用して、展示されている商品を購入する等の間接的な商品売買システムが少なからず利用されている。
【０００３】
この種の間接的な商品販売・購入システムは、販売側が販売商品であることを明示して商品を展示し、かつこの展示されている商品の価格、性能、利用方法、商品の納期等を文字情報により、或いは出演者が口述することにより説明し、購入者側はこのように提示された情報に基づいて、購入の希望があれば電話、ファクシミリ、或いはインターネットを介して購入申込みを行うことを内容とするシステムである。
【０００４】
【発明が解決しようとする課題】
上述の間接的な商品の売買システムは、当然のことではあるが、テレビショッピングの場合には販売対象となっている複数の商品の情報を時系列的に提供するものであり、ややもすると多数の商品情報の一方的な垂れ流しという事態を招来し、購入者側の商品購入の動機付けを却って低下させてしまう可能性がある。
【０００５】
また、インターネットによる商品の購買の場合には、商品及びその商品に関する情報が画面ににおいて言わば平面的に表示されており、前記テレビショッピングにおける時系列的表示の場合と同様に、商品選択のインパクトは時間と共に低下し、両者共に所謂「飽き」が来やすい商品購入システムであるといえる。
【０００６】
更に、テレビジョン放送において最も一般的に行われている、番組の合間にコマ−シャル情報（ＣＭ）を流す方式は、視聴者がこのＣＭ枠の時にトイレに立つ等、一般的に商品の訴求力を高めるためには余り役に立っていないことは我々が日常経験するところである。
【０００７】
【課題を解決するための手段】
本発明は上述の問題点に鑑み構成された商品販売・購入システムであって、双方向テレビジョンシステム或いはインターネットによる画像配信システムを介して視聴者に配信される、ドラマ、歌謡番組、あるいはトーク番組等、視聴者に対して番組として提供される情報に対し、所定の商品情報を重畳させ、視聴者は番組の視聴を介して、所望の商品の購入を決定することが可能な商品販売・購入システムである。
【０００８】
即ち、本発明は番組を提供する者と、この提供された番組を視聴する者との間に形成されるシステムであって、番組を提供する者は番組を構成する時点で、例えばドラマの俳優の着用する衣服、装飾品、番組中の家具、飲食物等を商品として提供し、かつ番組として提供される画像情報にこの商品情報を重畳して番組を提供する手段と、商品の価格、配送方法等の商品に関するデータを提供する手段とを有し、一方この番組を受信する側には番組を受信する手段と、番組中の所定の商品を購買予定商品として特定しかつ記憶する手段と、番組提供者側から提供される商品情報を記憶する手段とを有し、番組視聴者は番組の視聴中或いは視聴後に所望の商品を特定し、かつ取得した商品情報を了解したならば所定の商品を当該システムを介して購入するよう構成したことを特徴とする番組を介した商品販売・購入システムである。
【０００９】
【発明の実施の形態】
番組中で俳優や歌手の着用する衣服、装飾品、ドラマの室内セット或いは野外セットに使用する家具、植物、或いは飲食場面における酒類を始めとする飲用品等を予め販売商品として設定してドラマ、歌謡番組等の番組を作成し、かつこのように形成された番組を番組提供者はテレビジョン放送（特に双方向テレビジョンシステムが望ましい）或いはインターネットにより配信する。
【００１０】
番組を受信し視聴する者（以下実施例も含め、「視聴者」とする）は、配信された番組を視聴しながら、所定の画面に現れた商品、例えばドラマ番組で主演俳優が着用しているスーツ、室内場面の室内調度品等、購入の希望がある商品が表示されている場面を画像記憶手段に記憶しておく。このようにして番組の進行と共に、購入希望商品の表示されている画面を順次選択しかつ記憶する。
【００１１】
番組が終了したならば、所定の場面を記憶手段から呼出して画面表示し、例えば主演俳優が着用しているスーツ部分をクリックする。この操作により番組配信者に対しては所定画像に表示された商品の購入希望データが出力され、番組配信者は指定された商品の、価格、サイズ、購入時の配送日時等の商品情報を受信者に出力する。
【００１２】
例えば動画を構成する個々の静止画像にそれぞれコードを付しておき、受信者側の装置は特定の画面のコードを番組提供者に出力するよう構成しておけば、受信者側で所定の画面を直ちに特定することが可能であり、この画面コードに対応した商品コードに基づいて商品を特定し、商品情報を受信者に提供する。因みに、動画における静止画像の差替え数が３０枚／秒とすると、１時間の番組提供で静止画像の提供枚数は１０８，０００枚であって、個々の画像にコードを付して所定の画像を特定することはコンピュータの演算能力からすれば容易である。また、本システムにおいては商品の特定が目的であるので、同じ商品が表示されている静止画像に全て同じコードを配分することによりコードの情報を大幅に低減するすることも可能である。
【００１３】
受信者は、番組配信者から提供された商品情報を検討し、商品購買が決定したならば番組配信者或いは商品配送者に対して商品購入を連絡し、後日商品の配送を受ける
【００１４】
【実施例】
以下図面を参考に本発明の実施例を説明する。
先ず主として図１を用いて本発明にかかるシステムの全体構成を説明する。
本システムは、番組構成において販売を意図する商品含めた番組を提供する番組提供者Ａと、この番組を受信して視聴する複数の視聴者Ｂとの関係において成立するシステムである。なお視聴者Ｂは番組提供者Ａに対して会員契約を結ぶ等して、商品の配送や代金の決済等に関して両者間で特定の条件を結んでおくようにしてもよい。
【００１５】
先ず番組提供者Ａの構成から説明する。番組提供者Ａは後述する番組を、テレビジョン放送システム、インターネット等の情報手段を介してそれぞれの視聴者Ｂに配信する者である。なお番組を配信するシステムのうちテレビジョン放送システムは双方向システムが好適であるが、視聴者Ｂから視聴者Ａに対するデータ送信をインターネット等別の双方向システムを利用することにより、番組提供者Ａから視聴者Ｂに対して一方的に番組を配信する一方向のテレビジョン放送システムを用いても本システムの実施は可能である。
【００１６】
図中符号１は、販売目的として商品を番組中に取り込んだ番組を送信する番組送信部、２は画像コードデータベースである。画像コードは前述のとおり動画として配信される個々の静止画を特定するためのコードであるが、あくまでも画像に表示されている商品を特定することが目的であるので、同じ商品が表示されてる静止画像に対して全て同じコードを割り振ってもよい。
【００１７】
３は商品コードデータベースであって、特定の画像コードに対応して商品コードが割り振られており、従って画像を特定することによりその画像に表示された商品を特定することが可能になっている。なお、特定の静止画像に対して、例えば俳優が着用しているスーツ、腕時計、靴、俳優が座っている椅子等複数の物品が商品となっている場合には、特定の画像コードに対して複数の商品コードが割り振られる。この場合には後述するように例えば視聴者側には、商品１：スーツ、商品２：時計・・・等の如く複数の物品が販売対象となっていることを示し、例えば視聴者Ｂが商品１スーツを画面上でクリックすることにより所望の商品を特定する等の方法が実施可能である。
【００１８】
符号４は、上記番組で取り扱っている商品個々のデータを入力してある商品データベースであって、例えば商品が衣服であれば、価格、サイズ、生地の種類、提供可能な色柄、商品配送日時等、視聴者Ｂが商品購入の要否を判断するのに必要なデータを記憶している。
【００１９】
符号５は商品画像データベースであって、例えば商品がスーツであれば、番組中の俳優或いはモデルがスーツを着用した状態の前姿、後ろ姿、横姿等、また商品が腕時計、アクセサリー等の小物類である場合には拡大写真等、商品の構成が視聴者Ｂにより分かりやすいように表示された画像を入力してあるデータベースである。
【００２０】
６は実際に販売した商品のデータベースであり、例えば販売数量、購入者の年齢、性別等が、配信された番組コードと共に記憶される販売実績データベースであって、番組製作部７における以後の番組製作の資料とするデータベースである。
【００２１】
次に、視聴者Ｂ側の構成を示す。
なお、視聴者Ｂ側の各ブロックはテレビジョン装置、あるいはインターネット対応のパーソナルコンピュータ（以下「ＰＣ」とする）等の一つのセットとして視聴者宅に配置されていることが多いが、説明の都合上複数のブロックに分解して図示している。
【００２２】
図中、符号８はテレビジョン受像機或いは、インターネット接続しているＰＣの画面を示す。９は番組の所定の画面を静止画として切り取る等の操作を行う入力手段、１０は切り取られた静止画像を記憶する記憶手段、１１はこの静止画像に対応する画像コードを記憶する手段である。
【００２３】
符号１２は番組提供者Ａの商品データベース４から出力される商品データを記憶する商品データ記憶手段、１３は同様に番組提供者Ａの商品画像データベース５から出力される商品画像を記憶する商品画像データ記憶手段である。また、符号１４は視聴者Ｂ側で予め作成してある購入者側のデータベースであって、例えば商品購入者である本人、或いは家人等の体型等が画像情報として入力してあり、購入予定商品が衣服である場合、自己の身体を表示する画像情報に対して、番組提供者Ａ側から出力された衣服の画像情報を重畳させて、自己が購買予定の衣服を着用した時の画像を合成し、商品購入要否の判断材料とすることができるよう構成してある。なお、各ブロックは中央処理部１５により処理され、番組提供者Ａ側と双方向の情報伝達を行う。
【００２４】
図２及び図３は本発明に係るシステムの実行状態の一例を示す。
図２及び図１において、番組提供者Ａからは、ドラマ、歌謡番組等所定の番組が配信され（Ｓ１）、視聴者Ｂはこの番組をテレビジョン受像機により、或いはＰＣより視聴する（Ｓ２）。この視聴の間に、画面に現れた特定の対象物、例えば主演俳優が着用していスーツ等を購入する希望がある場合には、入力手段９を操作してこの商品が表示されている画面を切取り（Ｓ３）、画像記憶手段１０に画像情報として記録するとともに、この静止画像のコードを画像コード記憶手段１１に記憶する（Ｓ４）。
【００２５】
番組が終了したならば（Ｓ５）、入力手段９により静止画像として、切取り画像記憶手段１０に記憶していた画像を画面８に呼び出す（Ｓ６）。視聴者Ｂはこの状態で、画面８に表示された静止画像から改めて商品購入の要否を確認し、商品購入の意思がある場合には画像コード記憶手段１１において記憶されているこの静止画像のコードを呼出し、番組提供者Ａに対してこの画像コードに基づく商品情報を請求する（Ｓ７）。なおこの請求は、例えば画面に表示された請求ボタンをクリックする等、非常に簡単な方法で視聴者Ｂが情報伝達できるよう構成されている。
【００２６】
番組提供者Ａは、画像コードデータベース２により視聴者Ｂから出力された画像コードに対応して記憶されている商品コードを商品コードデータベース３から呼び出し、更に中央処理装置２１を介して商品データベース４からは当該画像に表示されている商品のデータを、また商品画像データベース５からは当該商品をより正確に表示した商品画像を呼出し、これらの各データを視聴者Ｂ側に送信する。なお、説明の都合上、上記手順を時系列的に説明しているが、これらデータのやり取りは、実機では瞬時に行われ、視聴者Ｂには事実上待ち時間なく情報が提供される。
【００２７】
番組提供者Ａから送信されたこれらの商品のデータ或いはこの商品の画像データはそれぞれ視聴者Ｂ側の商品データ記憶手段１２、商品画像データ記憶手段１３に取り込まれ記憶される。この段階で、所定の画像コードに基づき画面８に表示されている静止画像に対して、商品データ記憶手段１２に記憶されている商品データを重畳表示させる。例えばドラマの静止画像が、俳優が椅子に着席しており、かつ椅子の前にテーブルが配置されている画面である場合、俳優の着用しているスーツ、俳優が着席している椅子、椅子の前のテーブルが販売対象商品である場合、例えば商品１：椅子、商品２：テーブル、商品３：主人公の着用しているスーツ等の表示がクリック用ボタンと共に示される。
【００２８】
視聴者Ｂはこのうち購入を希望する商品のボタンをクリックする。例えば「商品３：主人公の着用しているスーツ」のボタンをクリックすると、スーツに対して予め割り振っていた商品コードに基づいて商品データ記憶手段１２から、スーツの価格、素材、サイズの種類、購入時の商品配送予定日等、商品としてのスーツを購入する際の商品情報が画面表示される。また、同じ商品コードにより商品画像データ記憶手段１３から商品画像を呼出し画面表示する。この商品画像は前述したように、番組中の俳優或いはモデルがスーツを着用した状態の前姿、後ろ姿、横姿等商品としてのスーツの構成が視聴者Ｂにより分かりやすいように表示された画像である。
【００２９】
また購入者側データベース１４に記憶されている購入者の体型等の画像データにスーツの画像情報を重畳させた合成画像を作成し、購入者がこのスーツを着用した場合をシミュレートして商品購入要否決定の一助とするようにしてもよい。なお、以下に説明する場合も含めて、商品購入予定時に、視聴者Ｂ側の装置に個々の情報を記憶せず、その都度番組提供者Ａ側の各データベースにアクセスしてデータを取得し、商品購入の決定を行うよう構成することももとより可能である。
【００３０】
以上の商品情報の表示提供のステップ（Ｓ８）を経て、視聴者Ｂが所定の商品を購入を希望する場合（Ｓ９）には「購入予定データ」を番組提供者Ａに送信する（Ｓ１０）。例えば画面８のに表示された商品３：主人公の着用しているスーツに対応して表示されている「購入予定」スイッチをクリックするなどの簡単な方法でこのステップＳ１０は実施することができる。
【００３１】
図４において、番組提供者Ａが購入予定データを受信（Ｓ１１）したならば、特定された商品の最終的な情報、特に配送日時等を具体的に特定し視聴者Ｂ側に発信する。例えば、視聴者Ｂが購入希望のＭサイズのスーツで、かつ紺色のものは応募数が多く品切れのため、配送日が三週間後になる等、特定された所定の商品の最終的な情報を視聴者Ｂに送信する（Ｓ１２）。視聴者Ｂはこの最終的な情報に基づいて、例えば「商品の配送が遅すぎるため商品の購入はしない」、あるいは「大変気に入ったので配送日が遅れても購入する」など、購入の要否を最終的に決め、当該商品「スーツ」の「購入する」、或いは「購入しない」のいずれかのボタンをクリックし、商品の購入要否を番組提供者Ａに送信する（Ｓ１２）。
【００３２】
視聴者Ｂが特定の商品の購入を断念し、かつ他の商品の購入の希望がある場合には、図３のステップＳ６に戻り、上述の手順を実行し、特定の商品の購入の要否を決める。
一方、視聴者Ｂからの商品購入決定のデータを受信したならば（Ｓ１３）、配送部１７（図１参照）に連絡し、当該配送部１７から、或いはメーカー等商品を直接扱う業者１８から直接に商品１９を視聴者Ｂに配送する。視聴者Ｂはこの商品の配送に対応して、予め定められた方法で商品代金の決済２０を実行する。
【００３３】
以上、静止画像を用いて購入予定商品を特定する方法について説明したが、商品の特定方法はこの方法に限定するものではなく、やや煩雑であるが、例えば番組の進行中に、特定の商品を画面上でクリックするなどの方法で商品を特定することももとより可能である。なお、商品特定後の商品情報の提供、商品の購入等は前述の方法で実施される。
【００３４】
【発明の効果】
以上に説明したように、本発明によれば視聴者はドラマ、歌謡番組等の番組を視聴しながら、番組の一部として提示されている商品の中から自己の気に入った商品を購入することができ、番組提供者は提供する番組の付加価値を高めることができ、また視聴者は番組を楽しみながら商品の購入が可能となる。
【００３５】
また、番組の進行中に各種商品が提示されるため、従来型の番組枠以外の時間枠で個々にＣＭを流す場合に比較して視聴者に対する商品の訴求力を高めることができる。
【図面の簡単な説明】
【図１】本発明の実施例を示す商品売買システムのブロック図である。
【図２】図１に示すシステムの実行状態の一例を示すフロー図である。
【図３】図２に示すフローの続きを示すフロー図である。
【符号の説明】
１　番組送信部
２　画像コードデータベース
３　商品コードデタベース
４　商品データベース
５　商品画像データベース
６　販売実績データベース
８　画面（受信側）
９　入力手段
１０　切取り画像記憶手段
１１　画像コード記憶手段
１２　商品データ記憶手段
１３　商品画像データ記憶手段
１４　購入者側データベース
Ａ　番組提供者
Ｂ　視聴者
【図１】
2004023425.tif 000003
【図２】
2004023425.tif 000004
【図３】
2004023425.tif 000005